(57)【要約】【課題】除電するためのイオンを、効率的に、錠剤の供給経路に送ることが可能な仕組みを提供すること。【解決手段】静電気除電部は、錠剤の取出し動作を実行する錠剤取出しユニットに対して設けられた錠剤導入路に対して、イオンを供給し、一方、錠剤の取出し動作を実行しない錠剤取出しユニットに対して設けられた錠剤導入路に対しては、イオンを供給しない。【選択図】図１０
2017113066.tif 000002
【特許請求の範囲】
【請求項１】
錠剤を取り出す錠剤取出し手段と、
前記錠剤取出し手段で取り出された錠剤を落下させて供給する複数の錠剤導入路と、
複数の前記錠剤導入路に対してイオンを供給するイオン供給手段と、
前記複数の錠剤取出し手段のうち、錠剤の取出し動作を実行する錠剤取出し手段を示す情報の入力を受け付ける受付手段と、
を備え、
一の前記錠剤導入路に対して設けられた前記錠剤取出し手段は、併設して複数設けられており、
前記イオン供給手段は、前記受付手段により受け付けた情報に、錠剤の取出し動作を実行する錠剤取出し手段として示される錠剤取出し手段に対して設けられた錠剤導入路に対して、イオンを供給し、一方、前記受付手段により受け付けた情報に、錠剤の取出し動作を実行する錠剤取出し手段として示されていない錠剤取出し手段に対して設けられた錠剤導入路に対しては、イオンを供給しないことを特徴とする錠剤供給装置。
【請求項２】
前記錠剤取出し手段は、一の前記錠剤導入路に対して複数段設けられ、
前記前記受付手段により受け付けた情報に、一の前記錠剤導入路に対して複数段設けられた錠剤取出し手段それぞれが、錠剤の取出し動作を実行する錠剤取出し手段として入力されている場合に、前記受付手段により受け付けた情報に、錠剤の取出し動作を実行する錠剤取出し手段として示されていない錠剤取出し手段に対して設けられた錠剤導入路に対してもイオンを供給することを特徴とする請求項１に記載の錠剤供給装置。
【請求項３】
前記受付手段により錠剤の取出し動作を実行する錠剤取出し手段を示す情報の入力を受け付ける受付画面を表示する表示手段を備え、
前記表示手段は、２つ以上の錠剤の取出し動作を実行する錠剤取出し手段を示す情報の入力を受け付ける場合に、同一の前記錠剤導入路に対して設けられた錠剤取出し手段を選択するように促す情報を含む前記受付画面を表示することを特徴とする請求項１または２に記載の錠剤供給装置。
【発明の詳細な説明】
【技術分野】
【０００１】
本発明は、錠剤供給装置に関し、特に、除電するためのイオンを、効率的に、錠剤の供給経路に送る仕組みに関する。
【背景技術】
【０００２】
従来、調剤業務において、ＰＴＰシートで提供されている錠剤（薬）の一包化を行うためには、人の手によってＰＴＰシートから錠剤を１回分の錠剤数ずつ取り出し、分包機の錠剤マスにセットする作業が必要であった。
【０００３】
このような手間を省くために特許文献１には、錠剤シートから錠剤を除包し、取り出した錠剤を包装装置に供給する錠剤供給装置が開示されている。
【先行技術文献】
【特許文献】
【０００４】
【特許文献１】特開２０１２−１３９３１７号公報
【特許文献２】特開２００２−５９９０４号公報
【発明の概要】
【発明が解決しようとする課題】
【０００５】
従来の錠剤供給装置では、錠剤シートから錠剤を取り出す時に発生する、錠剤シートや錠剤への静電気の帯電により、取り出し後の帯電した錠剤が錠剤供給装置内の錠剤の供給経路に吸着する現象が発生していた。
【０００６】
そこで、錠剤シートや錠剤への静電気の帯電に対する対策として、錠剤供給装置内部の錠剤の落下経路にイオナイザで発生させたイオンを送ることが行われている（たとえば、特許文献２に示すイオナイザ）。
【０００７】
特許文献２には、ファネルチューブの先端部に付着しようとする帯電粉粒体を除電して、該先端部への粉粒体の堆積を確実に防止するために、放出ノズルからはファネルチューブの先端部に向けてイオンが放出され、先端部に付着しようとする粉粒体の除電を行う技術が開示されている。
【０００８】
ところで、従来、錠剤供給装置を用いて錠剤を取り出す際、錠剤供給装置が動作している間、常にイオナイザの電源をＯＮにして使用していたが、電源をＯＮにしたまま使用していると、イオナイザで発生させたイオンが埃等と結びつき、イオナイザの電極が汚れてしまい除電効率が落ちてしまう可能性があった。
【０００９】
また、特許文献１に示すように錠剤供給装置における錠剤の供給経路は複数あり、錠剤シートをどの錠剤取出しユニットにセットするかによって、錠剤が落下しない錠剤の供給経路があるが、従来は、錠剤が落下しない錠剤の供給経路に対してもイオナイザによりイオンを送っていたため、無駄に電力を消費してしまっていた。
【００１０】
本発明は、除電するためのイオンを、効率的に、錠剤の供給経路に送るための仕組みを提供することを目的とする。
【課題を解決するための手段】
【００１１】
本発明は、錠剤を取り出す錠剤取出し手段と、前記錠剤取出し手段で取り出された錠剤を落下させて供給する複数の錠剤導入路と、複数の前記錠剤導入路に対してイオンを供給するイオン供給手段と、前記複数の錠剤取出し手段のうち、錠剤の取出し動作を実行する錠剤取出し手段を示す情報の入力を受け付ける受付手段と、を備え、一の前記錠剤導入路に対して設けられた前記錠剤取出し手段は、併設して複数設けられており、前記イオン供給手段は、前記受付手段により受け付けた情報に、錠剤の取出し動作を実行する錠剤取出し手段として示される錠剤取出し手段に対して設けられた錠剤導入路に対して、イオンを供給し、一方、前記受付手段により受け付けた情報に、錠剤の取出し動作を実行する錠剤取出し手段として示されていない錠剤取出し手段に対して設けられた錠剤導入路に対しては、イオンを供給しないことを特徴とする。
【発明の効果】
【００１２】
本発明によれば、除電するためのイオンを、効率的に、錠剤の供給経路に送ることができる。
【図面の簡単な説明】
【００１３】
【図１】包装装置と錠剤供給装置を示す図である。
【図２】錠剤取出ユニットの内部構造を示す図である。
【図３】錠剤取出ユニットの内部構造（断面）を示す図である。
【図４】錠剤取出しユニットの内部構造を示す図である。
【図５】包装ユニットの内部構造を示す図である。
【図６】錠剤供給装置の内部を横（正面から見て右側）から見た図である。
【図７】錠剤供給装置の内部が分かるようにした簡略断面斜視図である。
【図８】分包動作全体のフローチャートである。
【図９】処方データ例を示す図である。
【図１０】イオナイザの電源をＯＮ／ＯＦＦ処理のフローチャートである。
【図１１】予約データを入力する際、錠剤取出しユニット選択画面の例を示す図である。
【図１２】処方データ入力画面の例を示す図である。
【図１３】錠剤取出しユニット選択画面の例を示す図である。
【図１４】本発明に係る薬剤供給システムのハードウェアブロック図である。
【発明を実施するための形態】
【００１４】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。
【００１５】
本実施形態に係る錠剤供給装置１０は、錠剤シート５１から錠剤を取り出して、錠剤を包装する包装装置５に錠剤を供給する。錠剤供給装置１０は、錠剤シートから取り出された錠剤を、錠剤供給装置１０の内部に設けられた導入路を介して落下させて集積する集積部（例えば、錠剤導入路に連結された第１集積ホッパー４０１、第２集積ホッパー４０２）を備える。
【００１６】
また、錠剤供給装置１０は、静電気を除去するためのイオンを発生させるイオン発生部（イオナイザや、静電気除電部とも言う）と、集積部に錠剤導入路を介してイオンを供給するイオン供給部とを備える。
【００１７】
なお、イオン発生部は、プラスイオンとマイナスイオンの両方を同時に発生させる。これは、錠剤供給装置１０内の静電気が帯電する場所によって、プラスの静電気の場合もあればマイナスの静電気の場合もあるからである。
【００１８】
また、イオン発生部は、錠剤の落下方向に対して錠剤導入路の上部に設けることで、発生させたイオンを錠剤導入路に供給する。
【００１９】
ここで、イオン供給部は、気体を送風するための送風部を備え、送風部の送風によりイオンを気体とともに流通させて、集積部にイオンを供給する。
以下、図面を用いて、本発明の錠剤供給システム（図１）について説明する。
【００２０】
図１は、供給された錠剤を包装する包装装置５と錠剤を取り出して包装装置５（以下、分包装置とも称する）に供給する錠剤供給装置１０（以下、錠剤取出装置とも称する）と、手撒き投入部１０２と、散薬投入部１０３を含む錠剤供給システム（以下、錠剤取出システムとも称する）を示す図である。錠剤供給装置１０には、複数の錠剤取出ユニット１が搭載されており、この錠剤取出ユニット１により錠剤シートから錠剤が取り出される。このような錠剤取出ユニット１は、情報処理装置３００や包装装置５に設けられたタッチパネル式のディスプレイ１０１等から分包条件を入力されることで、錠剤の取出動作を行うことができる。
【００２１】
次に、図２を用いて、錠剤取出ユニット１の内部構造について説明する。
図２は、錠剤取出ユニット１の内部構造を示す図である。なお、図２は、錠剤取出ユニット１が２つ並んで配置されている例を示している。
【００２２】
錠剤取出ユニット１は、錠剤収容部５１０が重力方向に関して上側に来るような状態で複数の錠剤シート５１を積層させて投入可能な投入口２０３（錠剤シート保持部）と、後述する錠剤シート５１を搬送する搬送機構１６と、後述する搬送機構１６により搬送された錠剤シート５１が載置される載置台と、載置台上の錠剤シート５１の錠剤収容部の側から押圧して錠剤を取り出す押出し機構とを有している。すなわち載置台上が除包位置（取出位置）として用いられる。錠剤シート５１は、錠剤を収容する錠剤収容部５１０を有するシート本体の下面に、アルミニウム等からなる金属箔などを用いた封止シートを設けることによって錠剤が錠剤収容部に密封されている。さらに錠剤シート５１は、シート部上に凸状の錠剤収容部が幅方向に間隔をおいて２列に並んだ形態である。各列をなす複数の錠剤収容部は錠剤シート５１の長さ方向に沿って並んでいる。
【００２３】
なお、錠剤シート５１としては、シート部上に錠剤収容部が２列に並んだ形態のものに限らず、錠剤収容部が錠剤シート５１の長さ方向に１列に並んだ形態や、錠剤収容部が幅方向に間隔をおいて３列以上の複数列に並んだ形態も可能である。
ここで、錠剤取出ユニットは、本発明の錠剤取出し手段の適用例であり、錠剤シートの錠剤収容部から錠剤を取り出す動作を行う。
【００２４】
ここで、図３を用いて、錠剤取出ユニット１の内部構造について説明する。図３は、錠剤取出ユニット１の内部構造（断面）を示す図であり、錠剤取出ユニット１を右側面から見た図である。具体的には投入口２０３にセットされた錠剤シートを、錠剤の除包位置（錠剤の取出位置）まで搬送を行った際の図である。
錠剤取出ユニット１は、錠剤シートが載置される載置台１８を備えている。
３９は、下部ローラである。下部ローラ３９は、進行方向に沿って互いに間隔をおいて複数設けられている。
【００２５】
また、下部ローラ３９は、駆動源（不図示）により回転駆動可能であり、錠剤シート部の重力方向に関して下面側に当接して錠剤シート５１に進行方法への力を加えることができる。
【００２６】
２４は、導入シュートである。導入シュート２４は、載置台の下面側に設けられており、錠剤シート５１から取り出された錠剤を、後述する錠剤導入路６０１に導くものである。すなわち、導入シュート２４は、載置台の下面側に排出口を有しており、錠剤シート５１から取り出された錠剤はその排出口を通り、後述する錠剤導入路６０１に落ちていく。なお、この導入シュート２４は、錠剤取出ホッパーとも言う。
【００２７】
錠剤取出ユニット１は、載置台１８上に錠剤シート５１を搭載した状態で、押出し機構で錠剤を押し出すことで錠剤の取出動作を行う。また、錠剤取出ユニット１は、載置台１８上の錠剤シート５１の錠剤収容部を押圧する速度を変更させる変更機構をさらに有している。そして錠剤取出ユニットの所定の動作で錠剤が取り出せなかった場合には、押出し機構の押出し速度を通常の速度より高速に変更して錠剤収容部の押圧を行い、取出動作の継続（リトライ）を行う。またリトライの際には、錠剤収容部の押圧を再度行う前に１度目の載置台１８上の押圧位置から所定の距離だけ搬送手段で錠剤シート５１を搬送させ、この状態で押出し機構を用いて錠剤収容部を押圧する。このような状態でリトライ動作を行うことにより、１度の取出動作で錠剤が取り出されなかったとしても、確実に錠剤を取り出すことができる。
【００２８】
次に、押出し機構の詳細について説明する。押出し機構は、錠剤収容部の中央付近を押圧する内側押圧体８３と、内側押圧体８３を取り囲むように設けられ、中央付近よりも外側の部分を押圧する外側押圧体８４とを含んで設けられている。この内側押圧体８３と外側押圧体８４とが独立して動作することでＰＴＰシートの錠剤収容部を押圧し、ＰＴＰシートから錠剤を取り出す。具体的には押出し機構は、内側押圧体８３よりも先に外側押圧体８４により錠剤収容部を押圧する。
【００２９】
内側押圧体８３の先端は、錠剤取出ユニットに搭載されることが想定されるほとんどの錠剤シート５１の錠剤収容部よりも面積が狭くなるように設けられている。そのため、内側押圧体８３を錠剤を取り出すために下降させると、錠剤シートの錠剤収容部の面よりも重力方向に関して下側に至るまで先端が到達し、錠剤シート５１の金属箔に開いた穴から先端が下側に突き出ることになる。一方、外側押圧体８４の先端は、錠剤取出ユニットに搭載されることが想定されるほとんどの錠剤シート５１の錠剤収容部よりも面積が広いので、錠剤を取り出すために下降させても、錠剤シート５１の金属箔に開いた穴から先端が突き出ることはない。すなわち、外側押圧体８４を用いて最初に錠剤シート５１の錠剤収容部を押し潰し、その後内側押圧体８３で錠剤を確実に押し出すというように用いられる。
【００３０】
また、押出し機構は、外側押圧体８４を昇降させる第１昇降機構と、内側押圧体８３を昇降させる第２昇降機構も有しており、これらを動作させることにより、押圧体で錠剤を押し出すことができる。
【００３１】
第１昇降機構は、外側押圧体８４が取り付けられた第１昇降体９３と、回転駆動して第１昇降体９３を昇降させるカム９４と、第１昇降体９３を上昇方向に付勢する付勢部材（ばね）とを備えている。
【００３２】
第１昇降体９３は、前後方向にわたって延在する柱状体であり、前端部に外側押圧体８４が取り付けられている。カム９４は、外側押圧体８４の昇降動作を考慮して設計された形状の板状体であり、駆動機構によって回転駆動する軸部に固定されている。
【００３３】
カム９４は、第１昇降体９３の上面側に設けられ、軸部の回転に伴って回転駆動し、第１昇降体９３を押圧することによって高さ位置を調整し、これによって外側押圧体８４の高さ位置を調整する（外側押圧体８４の昇降動作を行う）ことができる。第１昇降機構は、カムの回転動作のタイミング、カムの形状、軸部に対するカムの固定位置などの設定によって、外側押圧体８４の昇降動作のタイミングや変位量を任意に設定できる。
【００３４】
第２昇降機構は、内側押圧体８３が取り付けられた第２昇降体９８と、回転駆動して第２昇降体９８を昇降させるカム９９と、第２昇降体９８を上昇方向に付勢する付勢部材（ばね）とを備えている。
【００３５】
第２昇降体９８は、前後方向にわたって延在する柱状体であり、前端部に内側押圧体８３が取り付けられている。カム９９は、第２昇降体９８の上面側に設けられ、軸部の回転に伴って回転駆動し、第２昇降体９８を押圧して高さ位置を調整し、これによって内側押圧体８３の高さ位置を調整する（内側押圧体８３の昇降動作を行う）ことができる。第２昇降機構は、カム９９の回転動作のタイミング、カムの形状、軸部に対するカムの固定位置などの設定によって、内側押圧体８３の昇降動作のタイミングや変位量を任意に設定できる。
【００３６】
このため、カム９４とカム９９は、それぞれ第１昇降体と第２昇降体に対して互いに独立に動作可能であり、内側押圧体８３と外側押圧体８４は、互いに独立に昇降動作させることができる。
【００３７】
押出し機構における２つのカムの回転動作のタイミング等は、錠剤位置検出機構の検出部からの信号に基づいて定めることができる。具体的には、検出された錠剤収容部の位置に合わせて内側押圧体８３と外側押圧体８４を動作させることができる。
【００３８】
錠剤取出ユニット１は、ＰＴＰシートの錠剤収容部の押圧をする前に、押圧される錠剤収容部の長さや押圧される錠剤収容部の位置を検知することができる検出機構１７をさらに有している。そして錠剤供給装置は、検出した錠剤収容部の長さや錠剤収容部の位置に応じて押圧に最適な搬送方向に関する位置を算出し、当該位置とするために必要な搬送距離を算出することもできる。つまり搬送機構１６（下部ローラ３９、上部ローラ）は、搬送距離により載置台１８上の錠剤収容部が押圧するために必要な最適位置に錠剤シートを搬送することができる。
図４は、錠剤供給装置１０の内部構造を示す図である。
【００３９】
４０１は、第１集積ホッパーである。第１集積ホッパー４０１は、錠剤取出ユニット１により、ＰＴＰシートから取り出された錠剤が導入シュート２４を落下して通り、そして、導入シュート２４から後述する錠剤導入路６０１を通り、該錠剤が集積される部である。すなわち、錠剤導入路６０１は、第１集積ホッパー４０１と直接、導通している。
【００４０】
４０２は、第２集積ホッパーである。第２集積ホッパー４０２は、第１集積ホッパー４０１で集積された錠剤をさらに集積する。すなわち、第２集積ホッパー４０２は、第１集積ホッパー４０１と導通している。そのため、第１集積ホッパー４０１に落ちてきた錠剤５０は、第２集積ホッパー４０２に落ちて集積される。
【００４１】
４０４は、第１の送り出し機構である。第１の送り出し機構４０４は、第２集積ホッパーに集積された錠剤５０を第３の集積ホッパーに移動させる。４０３は、第３集積ホッパーである。第３集積ホッパー４０３は、第１の送り出し機構４０４により送り出（移動）された錠剤を集積する。４０５は、第２の送り出し機構である。第２の送り出し機構４０５は、第３集積ホッパーに集積された錠剤をメインホッパー４０６に移動させる。
【００４２】
４０６は、メインホッパーである。メインホッパー４０６は、第２の送り出し機構４０５により送り出（移動）された錠剤（１回分）を集積し、包装シート（分包紙）の中に集積した錠剤を投入する。
次に、図５を用いて、包装ユニット５０１の内部構造について説明する。
図５は、包装ユニット５０１の内部構造を示す図である。
【００４３】
包装ユニット５０１は、包装装置５内のユニットである。５０２は、包装シートが連なるロール紙（分包紙がロール状になっている紙）を包装機構に送り出すロール紙送出機構である。５０３は、メインホッパー４０６内に集積された錠剤（１回分の錠剤）が包装シートの中に投入され、当該包装シートを加熱し溶着することにより、包装シートの中に投入された錠剤を、包装シートの中に封入する（包装機構）。そして５０４では、メインホッパー４０６内に集積された錠剤が包装シートの中に投入され、当該包装シートを加熱し溶着することにより、包装シートの中に投入された錠剤を、包装シートの中に封入する（包装機構）。すなわち、包装機構５０３と、包装機構５０４とで、包装シートを加熱し溶着することにより、包装シートの中に投入された錠剤を、包装シートの中に封入する。
【００４４】
５０５は、連なるロール紙を１包毎の包装シートに分断するための分断用ミシン目を包装シートに形成する分断機構である。５０６はプリンタであり、包装シートに、日付、患者データ、エラー情報を印字することができる（印字機構）。
【００４５】
このような図５に示す包装ユニットにより、投薬１回分の錠剤または散薬を包装シートに分包することができる。なお包装シートとしては、表面に熱溶着可能な樹脂材をコーティングした紙のみならず、中身を視認することができる透明なフィルム材を用いることもできる。
次に、図６を用いて、錠剤供給装置１０が備える各構成について説明する。
【００４６】
図６は、錠剤供給装置１０の内部を横（正面から見て右側）から見た図である。図６に示す点線の矢印は、錠剤取出ユニット１から取り出された錠剤の移動経路を示している。
【００４７】
６０１は、錠剤導入路である。錠剤導入路６０１は、導入シュート２４と導通しており、錠剤シートから取り出され落下した錠剤を導入シュート２４から第１集積ホッパーに中継する。
【００４８】
６０２は、排出路である。除包後の錠剤シートは、排出路６０２を通って、排出路６０２と導通している排出ポケットに集積される。
【００４９】
６０３は、排出ポケット（廃棄ボックス）であり、錠剤取り出し装置から排出された錠剤シートが排出路６０２を通って集合する部分である。装置前面で開口しており、排出された錠剤シートを容易に取り出すことができる。
以上で、図６の説明を終了する。
【００５０】
ここで、錠剤への静電気の帯電及び、静電気が帯電した錠剤の分包への影響を説明する。錠剤シート５１に静電気が帯電していたり、錠剤シート５１の錠剤収容部に収容されている錠剤に静電気が帯電している場合がある。
【００５１】
また、錠剤シート５１及び錠剤に静電気が帯電していなくても、錠剤取出しユニット１の内部では、錠剤シート５１の搬送を複数の搬送ローラにより行うため、その摩擦により錠剤シート５１及び錠剤が帯電してしまう場合もある。
【００５２】
更には、錠剤が錠剤シート５１から取り出される際に、錠剤シートの裏紙と錠剤との間の摩擦により、静電気が発生し錠剤に静電気が帯電してしまうこともある。
【００５３】
このように錠剤シート５１や錠剤に静電気が帯電している場合、錠剤取出しユニット１で錠剤を取り出して、導入シュート２４に落下させ、錠剤導入路６０１や第１集積ホッパー４０１を通過させる時に、導入シュート２４の斜面や第１集積ホッパー４０１の斜面に錠剤が吸着し、錠剤を適切なタイミングで錠剤供給装置１０から包装装置５に送り出すことが出来ない場合がある。
【００５４】
その場合は、処方箋通りに正しく分包出来ないので、薬剤師は、正しく分包出来ていない分包袋を再度作り直ししなければならず、手間が増えてしまい分包作業の効率化の妨げになってしまう。
【００５５】
図７は錠剤供給装置１０の内部が分かるようにした簡略断面斜視図である。図７の静電気除電部７０１はイオン発生部と送風部（ファン）とを構成要素として備える。
【００５６】
静電気除電部７０１は、本発明における複数の前記錠剤導入路に対してイオンを供給するイオン供給手段であって、受付手段により受け付けた情報に、錠剤の取出し動作を実行する錠剤取出し手段として示される錠剤取出し手段に対して設けられた錠剤導入路に対して、イオンを供給し、一方、前記受付手段により受け付けた情報に、錠剤の取出し動作を実行する錠剤取出し手段として示されていない錠剤取出し手段に対して設けられた錠剤導入路に対しては、イオンを供給しないイオン供給手段の一例である。
【００５７】
イオン発生部では静電気を除去するためのイオン（プラスまたはマイナスのイオン）を発生させる。
【００５８】
送風部（ファン）はイオン発生部で発生したイオンを風にのせ、装置内の各部にイオンを供給するイオン供給部として機能する。図７の矢印７０２はイオンを含む風の流れを例示的に示している。
【００５９】
イオン発生部で発生したイオンは送風部からの風にのって、錠剤導入路６０１、導入シュート２４を経て第１集積ホッパー４０１内に到達する。さらに、イオンは風にのって、第２集積ホッパー４０２、第１の送出し機構４０４（第１の中継ユニット）、第３集積ホッパー４０３へと流れ込む。
【００６０】
なお、他の実施例として、静電気除電部７０１はイオン発生部のみを構成要素として備えてもよい。
【００６１】
なぜなら、静電気除電部７０１のイオン発生部で発生したイオンは、後述する排気ファン（換気扇とも呼ぶ）に吸い寄せられることにより、錠剤供給装置１０の内部へ送り込まれるからである。
【００６２】
錠剤シート５１から取り出され帯電している錠剤は、錠剤取出ユニット１から順に導入シュート２４、錠剤導入路６０１、第１集積ホッパー４０１を落下しながら通過する過程で、導入シュート２４、錠剤導入路６０１、第１集積ホッパー４０１、及び第２集積ホッパー４０２、第１の送出し機構４０４（第１の中継ユニット）、第３集積ホッパー４０３内に送り込まれたイオンにより、帯電している静電気が中和され、静電気が低減、除去される。
【００６３】
図７から分かるように一の錠剤導入路６０１に対して設けられた錠剤取出し手段（錠剤取出しユニット１）は、併設して複数設けられている。
【００６４】
では、ここから、錠剤シート５１から錠剤を取り出して包装する処理、静電気除電部７０１によりイオンを発生させる処理の流れについて説明する。
まず、錠剤供給システムのハードウェア構成の一例について図１４を用いて説明する。
【００６５】
図１４では、情報処理装置３００のＣＰＵ３３０と、包装装置５のＣＰＵ３５１と、錠剤供給装置１０のＣＰＵ３１１とがそれぞれ連携して、包装装置５が制御する各装置（各ユニット）、及び、錠剤供給装置１０が制御する各装置（各ユニット）の各種動作を制御している一例を示している。しかし１つのＣＰＵが、錠剤供給システムの全ての各装置を制御する構成でも構わない。
【００６６】
まず情報処理装置３００のハードウェア構成について説明する。情報処理装置３００のＣＰＵ３３０は、システムバスに接続される各デバイスやコントローラを統括的に制御することができる。また、ＲＯＭ３３１あるいは外部メモリ３３６には、ＣＰＵ３３０の制御プログラムであるＢＩＯＳ（Ｂａｓｉｃ  Ｉｎｐｕｔ／Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ３３３は、ＣＰＵ３３０の主メモリ、ワークエリア等として機能する。ＣＰＵ３３０は、処理の実行に際して必要なプログラム等をＲＡＭ３３３にロードして、プログラムを実行することで各種動作を実現するものである。
【００６７】
また、ＣＰＵ３３０は、キーボードや不図示のマウス等の入力端末からの入力を制御する。ビデオコントローラ（ＶＣ）は、ディスプレイ３３４等の表示部への表示を制御することもでき、さらに、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク或いはＰＣＭＣＩＡカードスロットにアダプタを介して接続されるコンパクトフラッシュ（登録商標）メモリ等の外部メモリ３３６へのアクセスを制御することもできる。
【００６８】
またＩ／Ｆ３２０は、ネットワークを介して外部機器と接続・通信するものであり、本実施形態においては包装装置５のＩ／Ｆ３５０と通信可能に接続されている。
【００６９】
次に、包装装置５のハードウェア構成について説明する。包装装置５のＣＰＵ３５１は、バスに接続されている各デバイスを統括的に制御することができる。ＲＯＭ３５２にはＣＰＵ３５１の制御ブログラムや各種制御プログラムが記憶されている。ＲＡＭ３５３は、ＣＰＵ３５１が動作するためのシステムワークメモリとして機能する。ＣＰＵ３５１は、タッチパネル式のディスプレイ１０１に対して表示制御したり、ディスプレイ１０１のタッチパネル機能を入力端末３６２としてユーザから情報の入力を受け付けたり、プリンタ７０６に印刷指示を出したりすることもできる。さらにＣＰＵ３５１は、包装装置５の散薬投入口から投入された散薬を１包に包装する際に動作させる散薬分包機構３５５を制御したり、ユーザから手撒き投入部１０２に投入された錠剤を包装する際に動作させる手撒き投入機構３５６を制御したりすることができる。そして包装装置５と錠剤供給装置１０とは、包装装置５のＩ／Ｏ３５４と錠剤供給装置１０のＩ／Ｏ３１２とで通信可能に接続されている。
【００７０】
次に、錠剤供給装置１０のハードウェア構成について説明する。錠剤供給装置１０のＣＰＵ３１１は、バスに接続されている各デバイスを統括的に制御することができる。ＲＯＭ３１４にはＣＰＵ３１１の制御ブログラムや各種制御プログラムが記憶されている。ＲＡＭ３１３は、ＣＰＵ３１１が動作するためのシステムワークメモリとして機能する。ＣＰＵ３１１は、さらに錠剤取出機構１５における取出動作を制御したり、錠剤シートを搬送する搬送機構１６を制御したりすることもできる。
【００７１】
このようなハードウェア構成においては、以下のように錠剤取出を行うように制御することができる。
【００７２】
まず、包装装置５のＣＰＵ３５１が、錠剤供給装置１０のＣＰＵ３１１に対して、錠剤の取出動作命令を送信する。
【００７３】
そして、錠剤供給装置１０のＣＰＵ３１１が、当該取出動作命令に従って、錠剤取出機構１５や搬送機構１６を制御して錠剤取出動作を行わせることができる。
【００７４】
また、錠剤供給装置１０のＣＰＵ３１１は、包装装置５のＣＰＵ３５１に対して、錠剤取出動作の状況を示す動作情報を送信することもできる。
【００７５】
図８は、図９の処方データに従って、錠剤シートの収容部から錠剤を取出して、排出部に錠剤シートを排出する一連の処理の一例を示すフローチャートである。
【００７６】
図８に示す各ステップに示す処理・動作は、情報処理装置のＣＰＵ３３０および、錠剤供給装置１０のＣＰＵ３５１（制御部）が、分包システムの各装置の動作を制御することにより実現される。
【００７７】
ステップＳ８０１において、情報処理装置３００は、処方データの入力をユーザから受け付けるために、図１２の処方データ入力画面を情報処理装置３００のディスプレイ３３４に表示し、処方データの入力等の操作をユーザから受け付ける。
【００７８】
ステップＳ８０１で情報処理装置３００がユーザから入力を受け付ける処方データとは、例えば、後述する図９に示す患者Ａの処方データ９０１、患者Ｂの処方データ９０２、患者Ｃの処方データ９０３である。
【００７９】
ステップＳ８０１でユーザから入力された処方データは、情報処理装置３００の外部メモリ３３６に記憶され、ステップＳ８０４で分包開始指示とともに情報処理装置３００から錠剤供給装置１０に送信される。
【００８０】
ここで、ステップＳ８０１で情報処理装置３００のディスプレイ３３４に表示される図１２の処方データ入力画面１２０１について説明する。
【００８１】
図１２は、情報処理装置３００のディスプレイ３３４に表示される処方データ入力画面１２０１の例であり、後述する図９の患者Ａの処方データ９０１の入力をユーザから受け付けている状態を示す画面である。
【００８２】
分包数１２０２は、後述する薬品名１２０８に示す錠剤が分包される数（全分包数）の入力をユーザから受け付ける欄である。分包数１２０２がユーザに入力されると、後述する図９の処方データの全分包数９０６に、入力された内容が反映される。
【００８３】
編集ボタン１２０３は、ＰＴＰシートをセットする錠剤取出しユニットの指定をユーザから受け付けるためのボタンである。
【００８４】
編集ボタン１２０３がユーザにより押下されると、情報処理装置３００は、ディスプレイ３３４に図１３の錠剤取出しユニット選択画面（受付画面）を表示する。
【００８５】
服用パターン１２０６は、服用パターン（左から朝、昼、夜）を示し、例えば、図１２の「錠剤Ａ」の場合、錠剤Ａを朝と昼と夜に２錠ずつ服用することを示す。
服用パターン１２０６は、ユーザによるキーボード等の操作により入力される。
【００８６】
薬品名１２０８は、これから分包する薬剤の名前を示し、薬品名１２０８は、ユーザが手入力で入力するとしても良いし、薬品マスタを情報処理装置３００の外部メモリ３３６に予め記憶しておき、薬品名１２０８の欄の選択をユーザから受け付けると、薬品マスタのデータを情報処理装置３００のディスプレイ３３４に表示し、薬品マスタから分包する薬剤の選択を受け付けても良い。
なお、本実施例における薬品は、薬剤と同義である。
【００８７】
１２０４は、スタートボタンであり、ユーザによるスタートボタン１２０４の押下を検知すると、情報処理装置３００は、図１２の画面を介して入力された処方データ（例えば、図９）を包装装置５へ送信する。
【００８８】
１２０５は、予約ボタンであり、ユーザによる予約ボタン１２０５の押下を検知すると、情報処理装置３００は、図１２の画面を介して入力された処方データをすぐに包装装置５へ送ることなく、予約データとして情報処理装置３００の外部メモリ３３６に保存する。
【００８９】
スタートボタン１２０４と予約ボタン１２０５との違いは、スタートボタン１２０４がユーザにより押下されると、それまでに図１２の画面を介して入力された処方データが包装装置５に送信され包装動作が実行されるのに対し、予約ボタン１２０５がユーザにより押下されると、図１２の画面を介して入力された処方データを包装装置５にすぐ送ることなく、情報処理装置３００の外部メモリ３３６に保存し、スタートボタン１２０４が押下されると初めて、それまで情報処理装置３００の外部メモリ３３６に保存した処方データを包装装置５に送信する点である。
【００９０】
ここで、編集ボタン１２０３がユーザにより押下されることにより（本発明における複数の錠剤取出し手段のうち、錠剤の取出し動作を実行する錠剤取出し手段を示す情報の入力を受け付ける受付手段の一例）、情報処理装置３００のディスプレイ３３４に表示される錠剤取出しユニット選択画面について図１３を用いて説明する。
【００９１】
図１３は、情報処理装置３００が表示する錠剤取出しユニット選択画面の例を示す図であり、図１３は、図１２の画面に示す処方データに含まれる錠剤が封入されたＰＴＰシートをセットする錠剤取出しユニットの選択をユーザから受け付ける図である。
【００９２】
Ｎｏ１、Ｎｏ２、Ｎｏ７，Ｎｏ８、Ｎｏ．１３、Ｎｏ．１４が錠剤供給装置１０を正面から見て左側の錠剤導入路６０１にＰＴＰシートから取り出した錠剤を落下させる錠剤取出しユニット１を示し、Ｎｏ１、Ｎｏ２が下段、Ｎｏ７，Ｎｏ８が中段、Ｎｏ．１３、Ｎｏ．１４が上段の錠剤取出しユニット１である。
【００９３】
Ｎｏ３、Ｎｏ４、Ｎｏ９，Ｎｏ１０、Ｎｏ．１５、Ｎｏ．１６が錠剤供給装置１０を正面から見て中央の錠剤導入路６０１にＰＴＰシートから取り出した錠剤を落下させる錠剤取出しユニット１を示し、Ｎｏ３、Ｎｏ４が下段、Ｎｏ９，Ｎｏ１０が中段、Ｎｏ．１５、Ｎｏ．１６が上段の錠剤取出しユニット１である。
【００９４】
Ｎｏ５、Ｎｏ６、Ｎｏ１１，Ｎｏ１２、Ｎｏ．１７、Ｎｏ．１８が錠剤供給装置１０を正面から見て右側の錠剤導入路６０１にＰＴＰシートから取り出した錠剤を落下させる錠剤取出しユニット１を示し、Ｎｏ５、Ｎｏ６が下段、Ｎｏ１１，Ｎｏ１２が中段、Ｎｏ．１７、Ｎｏ．１８が上段の錠剤取出しユニット１である。
【００９５】
まず、ユーザによって、図１２の画面で処方内容が入力され、図１２の画面で編集ボタン１２０３がユーザにより押下されると、情報処理装置３００は、図１３の画面を情報処理装置３００のディスプレイ３３４に表示する。
【００９６】
そして、図１３の画面を介して、１３０２や１３０３に示す錠剤取出しユニットボタンがユーザにより押下されることで、薬品名１２０８に示す錠剤が封入されたＰＴＰシートをセットする錠剤取出しユニット１の選択を受け付ける。
【００９７】
最後に、決定ボタン１３０４がユーザにより押下されると、選択を受け付けた錠剤取出しユニット１に、図１２の画面でユーザにより入力された処方内容が設定され、錠剤供給装置１０は、図１２の画面でユーザにより入力された処方内容分の錠剤をＰＴＰシートから取り出す。
【００９８】
なお、決定ボタン１３０４がユーザにより押下されたときに入力される処方内容は、図１２の画面でユーザにより入力された処方内容であって、図１２の画面でユーザにより押下された編集ボタン１２０３と同じ行の処方内容である。
【００９９】
また、決定ボタン１３０４がユーザにより押下されることにより、図１３で選択された錠剤取出しユニットのＮｏが、図１２の錠剤取出しユニットＮｏ１２０７に入力される。
【０１００】
図１３に示す、選択済みの錠剤取出しユニットボタン１３０２は、すでにユーザが選択した錠剤取出しユニットについて、選択済みであることを表すため、ボタンの枠線を実線で表示し、そして設定された服用パターンと錠剤名をユニットＮｏ．の下に表示する。
【０１０１】
なお、他の実施例として選択済みの錠剤取出しユニットのボタンを実線にすることなく、選択済みの錠剤取出しユニットのボタンの色を未選択の錠剤取出しユニットの色と識別可能となるように変更してもよい。
【０１０２】
図１３に示す、未選択の錠剤取出しユニットボタン１３０３は、ユーザが未選択の錠剤取出しユニット１であることを表すため、ボタンの枠線を点線で表示し、服用パターンと錠剤名をユニットＮｏ．の下に表示しない。
以上で図１３についての説明を終了する。
【０１０３】
次に、図１２の画面を介してユーザから入力されることによって得られる処方データについて説明する。
【０１０４】
図１２の画面を介してユーザから入力されることによって得られる処方データは、例えば、図９に示す処方データである。
【０１０５】
では、ここから図９に示す処方データについて説明する。処方データは、情報処理装置３００の外部メモリ３３６に記憶される。
【０１０６】
図９の９０１は、患者Ａの処方データの一例を示すデータであり、９０２は、患者Ｂの処方データの一例を示すデータであり、９０３は、患者Ｃの処方データの一例を示すデータである。
図９の９０９は、錠剤供給装置１０および包装装置５により分包の動作処理を行う順番を示しており、値が小さい方が優先して実行される。
【０１０７】
そのため、図９の例では、患者Ａの処方データ９０１の処方データに従って、錠剤供給装置１０および包装装置５が分包の動作処理を行った後に、患者Ｂの処方データ９０２の処方データに従って、錠剤供給装置１０および包装装置５が分包の動作処理を行い、最後に患者Ｃの処方データ９０３の処方データに従って、錠剤供給装置１０および包装装置５が分包の動作処理を行う。
【０１０８】
図９の９０４は、ユニットＮｏ．（錠剤取出し装置を識別する番号）であり、図１２に示す画面を介してユーザにより処方内容が入力され、図１３に示す錠剤取出しユニット選択ボタンの押下をユーザから受け付けることで、錠剤名９０８（図１２の薬品名１２０８に対応）に示す錠剤が封入されたＰＴＰシートがセットされるユニットを示す。ユニットＮｏ．９０４は、図１２の錠剤取出しユニットＮｏ１２０７に対応する。
【０１０９】
図９の９０５は、服用パターンである。図９の処方データ９０１の例では、ユニットＮｏ．１とユニットＮｏ．６は、錠剤名９０８に示す錠剤を、患者が朝昼夕２錠ずつ服用し、ユニットＮｏ．２は、錠剤名９０８に示す錠剤を、患者が朝昼夕１錠ずつ服用することを表す。服用パターン９０５は、図１２の画面（より具体的には服用パターン１２０６）を介してユーザから入力を受け付ける。
【０１１０】
図９の９０６は、錠剤名９０８に示す錠剤が分包される数（全分包数）である。
図９の９０７は、錠剤名９０８に示す錠剤が分包される錠剤の全ての数（全錠剤数）である。
【０１１１】
図９の患者Ａの処方データ９０１の例では、ユニットＮｏ．１は錠剤Ａを朝昼夕２錠ずつ９包分の錠剤を取出す為、取出す錠剤数は１８錠となり、ユニットＮｏ．２は錠剤Ｂを朝昼夕１錠ずつ９包分の錠剤を取出す為、取出す錠剤数は９錠となり、ユニットＮｏ．６は錠剤Ｃを朝昼夕２錠ずつ９包分の錠剤を取出す為、取出す錠剤数は１８錠となる。
図９の９０８は、錠剤名であり、錠剤の名称が登録される。
【０１１２】
以上を踏まえると、例えば、図９の処方データ９０１は、ユニットＮｏ．１の錠剤取出し装置により、錠剤Ａが収容部に収容されている錠剤シートから、服用パターン９０５、全分包数９０６、全錠剤数９０７に設定された数だけ、錠剤を取り出す必要があることを示している。
以上で図９の説明を終了し、図８の説明に戻る。
【０１１３】
ステップＳ８０２において、情報処理装置３００は、ステップＳ８０１で情報処理装置３００のディスプレイ３３４に表示した図１２の処方データ入力画面を介して入力を受け付けた処方データを予約処方データとして保存する指示を受け付けたか（具体的には、図１２の予約ボタン１２０５が押下されたか）を判定する。
【０１１４】
図１２の処方データ入力画面を介して入力を受け付けた処方データを予約処方データとして保存する指示を受け付けたならば、ステップＳ８０３において、当該処方データを、予約処方データとして図９に示すように情報処理装置３００の外部メモリ３３６で管理する。
【０１１５】
図１２の処方データ入力画面を介して入力を受け付けた処方データを予約処方データとして保存する指示でなければ、情報処理装置３００は、ステップＳ８０３−２の処理に移行する。
【０１１６】
ステップＳ８０３−２において、情報処理装置３００は、ステップＳ８０１で情報処理装置３００のディスプレイ３３４に表示した図１２の処方データ入力画面を介して入力を受け付けた処方データの分包を開始する指示を受け付けたか（具体的には、図１２のスタートボタン１２０４が押下されたか）を判定する。
【０１１７】
分包を開始する指示を受け付けなければ、そのまま待機し、分包を開始する指示を受け付けたならば、ステップＳ８０４において、情報処理装置３００は、分包処理の開始指示を錠剤供給装置１０に対して行う。ステップＳ８０４では、図１２の画面を介して入力された予約処方データを含む処方データ（図９）を、錠剤供給装置１０に対して、一緒に送信する。
【０１１８】
なお、本実施例では、ステップＳ８０４において、分包開始指示を錠剤供給装置１０に対して送信するとしたが、他の実施例として、包装装置５に対して分包開始指示を行い、包装装置５から錠剤供給装置１０に対して、処方データ分の錠剤を取り出すように指示するとしても良い。
【０１１９】
その場合、包装装置５は、図９の患者Ａの処方データ９０１、患者Ｂの処方データ９０２、患者Ｃの処方データ９０３が入力されているとすると、包装装置５は、順番９０９に設定されている若い番号から順に処方データを送信する。具体的には、患者Ａの処方データ９０１、患者Ｂの処方データ９０２、患者Ｃの処方データ９０３を分包処理開始するごとに１つずつ送信する。
【０１２０】
ステップＳ８０５において、錠剤供給装置１０は、図９の処方データで設定される錠剤取出しユニットの情報（具体的には、ユニットＮｏ．９０４）より、イオナイザの電源ＯＮ／ＯＦＦ処理（静電気除電部７０１のＯＮ／ＯＦＦ処理）を行い（図１０を参照）、分包動作を開始する。
ステップＳ８０６において、錠剤供給装置１０は、現在処理対象の処方データに含まれる図９の全錠剤数９０７分の錠剤を取り出したかを判定する。
【０１２１】
全錠剤数９０７分の錠剤を取り出したと判定された場合には、錠剤供給装置１０は、ステップＳ８１２に処理を進め、全錠剤数９０７分の錠剤を取り出していないと判定された場合には、ステップＳ８０７において、錠剤供給装置１０は、投入口２０３に投入された錠剤シート５１を、搬送機構１６により当該錠剤シート５１の収容部を押し出し機構により押し出せる位置に搬送するが、すでに押し出し機構により押し出せる位置の場合は搬送しない。
【０１２２】
ステップＳ８０８において、錠剤供給装置１０は、押し出し機構により錠剤収容部を押圧して錠剤を取り出す動作を行う。このとき、錠剤シート５１から取出した錠剤数をカウントする。
【０１２３】
ステップＳ８０９では、現在処理対象の処方データと、ステップＳ８０８でカウントした錠剤数とに基づき、処方データに示される数（例えば、患者Ａの処方データ９０１の場合であれば、１８、または９（全錠剤数９０７））の錠剤を取り出したか否かを判定し、取り出したと判定した場合には、処理をステップＳ８１０に移行する。
【０１２４】
一方、処方分の錠剤を取り出していないと判定された場合には、処理をステップＳ８０７に移行して、再度、錠剤シート５１を次の錠剤収容部まで搬送して、錠剤の取出し動作を行う。
【０１２５】
ステップＳ８０９では、現在処理対象の処方データと、ステップＳ８０８でカウントした錠剤数とに基づき、処方データに示される数（例えば、患者Ａの処方データ９０１の場合であれば、１８、または９（全錠剤数９０７））の錠剤を取り出したか否かを判定すると説明したが、次に説明する別の方法でもよい。
【０１２６】
たとえば、導入シュートに、錠剤シートから取り出された錠剤を検出する検出手段（例えば、光センサなど）を備え、現在処理対象の処方データに示される数だけ、当該検出手段で錠剤を検出できたかを判定することで、現在処理対象の処方データに示される数（例えば、患者Ａの処方データ９０１の場合であれば、または９（全錠剤数９０７））の錠剤を取り出したか否かを判定することもできる。
【０１２７】
次に、錠剤供給装置１０は、ステップＳ８０９で、現在処理対象の処方データに示される数（例えば、患者Ａの処方データ９０１の場合であれば、１８、または９（全錠剤数９０７））の錠剤を取り出したと判定された場合には、処理をステップＳ８１０に移行する。
【０１２８】
ステップＳ８１０では、現在、錠剤取出しユニット１の搬送経路（投入口と排出路との間の錠剤シートの搬送経路）にある錠剤シートを、搬送機構１６による搬送により、排出路に搬送する。
【０１２９】
そして、錠剤供給装置１０は、錠剤取出しユニット１の搬送経路内の錠剤シート５１を排出路に搬送すると、投入口２０３にセットされている全ての錠剤シートを１枚ずつ、搬送機構１６による搬送により、錠剤取出し装置の搬送経路（投入口と排出路との間の錠剤シートの搬送経路）に搬送し、さらに、搬送機構１６による搬送により、排出路に搬送する（ステップＳ８１１）。そして、錠剤供給装置１０は、処理をステップＳ８０６に移行する。
【０１３０】
ステップＳ８１２では、錠剤供給装置１０が予約処方データの有無をチェックし、図９の処方データのうち、いまだ実行されていない処方データがないかチェックする。図９を例とすると、患者Ａの処方データ９０１、患者Ｂの処方データ９０２、患者Ｃの処方データ９０３すべての処方データの分包が終了したと判断した場合（ＮＯ）、すべてのイオナイザの電源をＯＦＦ（静電気除電部７０１の電源をＯＦＦ）にし（ステップＳ８１３）、処理を終了する。
【０１３１】
予約処方データが残っている場合（ＹＥＳ）、処理をステップＳ８０３−２に移行し、ユーザが次の処方データの錠剤シート５１の準備が終わるまでの間、スタートボタン１２０４の入力を待つ。
【０１３２】
以上で図８の処理の説明を終了する。
【０１３３】
次に、図１０を用いて、図８のステップＳ８０５におけるイオナイザの電源をＯＮ／ＯＦＦ処理について説明する。
【０１３４】
図１０に示す各ステップに示す処理・動作は、錠剤供給装置１０のＣＰＵ３１１（制御部）が、図８のステップＳ８０５で実行するサブフローとなる。
【０１３５】
錠剤供給装置１０は、ステップＳ１００１において、図８のステップＳ８０４で情報処理装置３００から送信された処方データに含まれるユニットＮｏ．９０４に設定されている錠剤取出しユニット１の数を同一の錠剤導入路６０１に接続する錠剤取出しユニット１ごとにカウントし、同一の錠剤導入路６０１に接続する錠剤取出しユニット１のうち使用する錠剤取出しユニット１の数が４つ以上か否かを判断する。
【０１３６】
ステップＳ１００１における判断の結果、同一の錠剤導入路６０１に接続する錠剤取出しユニット１のうち使用する錠剤取出しユニット１の数が４つ以上の場合（ステップＳ１００１：ＹＥＳ）、ステップＳ１００２において、錠剤供給装置１０は、当該錠剤供給装置１０に搭載されているすべての静電気除電部７０１の電源をＯＮし、静電気除電部７０１のイオン発生部から発生させたイオンを含んだ風を錠剤導入路、錠剤の移動経路へと送り（図７の７０２）、錠剤に帯電した静電気の除電を行う。
【０１３７】
ステップＳ１００１における判断の結果、同一の錠剤導入路６０１に接続する錠剤取出しユニット１のうち使用する錠剤取出しユニット１の数が４つ未満の場合（ステップＳ１００１：ＮＯ）、処理をステップＳ１００３に移行する。
【０１３８】
ステップＳ１００３において、錠剤供給装置１０は、図８のステップＳ８０４で情報処理装置３００から送信された処方データに含まれるユニットＮｏ．９０４のうち、ユニットＮｏ．９０４が左側の錠剤導入路６０１へ錠剤を落とす錠剤取出しユニット１か否か判断する（具体的には、ユニットＮｏ．が１、２、７、８、１３、１４のいずれかが設定されているか否かを判断する）。
【０１３９】
ユニットＮｏ．９０４に左側の錠剤導入路６０１のユニットＮｏ．９０４が設定されている場合（ステップＳ１００３：ＹＥＳ）、左側錠剤導入路６０１用の静電気除電部７０１の電源をＯＮにする（ステップＳ１００４）。
【０１４０】
ステップＳ１００３において、図８のステップＳ８０４で情報処理装置３００から送信された処方データに含まれるユニットＮｏ．９０４のうち、ユニットＮｏ．９０４に左側の錠剤導入路６０１のユニットＮｏ．９０４が選択されていない場合（ステップＳ１００３：ＮＯ）、左側錠剤導入路６０１用の静電気除電部７０１の電源をＯＦＦする（ステップＳ１００５）。
【０１４１】
錠剤供給装置１０は、ステップＳ１００６において、図８のステップＳ８０４で情報処理装置３００から送信された処方データに含まれるユニットＮｏ．９０４のうち、ユニットＮｏ．が真ん中の錠剤導入路６０１へ錠剤を落とす錠剤取出しユニット１か否か判断する（具体的には、ユニットＮｏ．が３、４、９、１０、１５、１６のいずれかが設定されているか否かを判断する）。
【０１４２】
ユニットＮｏ．９０４に真ん中の錠剤導入路６０１のユニットＮｏ．が設定されている場合（ステップＳ１００６：ＹＥＳ）、真ん中の錠剤導入路６０１用の静電気除電部７０１の電源をＯＮにする（ステップＳ１００７）。
【０１４３】
ステップＳ１００６において、錠剤供給装置１０は、真ん中の錠剤導入路のユニットＮｏ．９０４が選択されていない場合（ステップＳ１００６：ＮＯ）、真ん中の錠剤導入路６０１用の静電気除電部７０１の電源をＯＦＦする（ステップＳ１００８）。
【０１４４】
ステップＳ１００９において、錠剤供給装置１０は、図８のステップＳ８０４で情報処理装置３００から送信された処方データに含まれるユニットＮｏ．９０４のうち、ユニットＮｏ．９０４が右側の錠剤導入路６０１へ錠剤を落とす錠剤取出しユニット１か否か判断する（具体的には、ユニットＮｏ．が５、６、１１、１２、１７、１８のいずれかが設定されているか否かを判断する）。右側の錠剤導入路６０１のユニットＮｏ．９０４が選択されている場合（ステップＳ１０１０：ＹＥＳ）、右側錠剤導入路６０１用の静電気除電部７０１の電源をＯＮに（ステップＳ１０１０）する。
【０１４５】
ステップＳ１００９において、図８のステップＳ８０４で情報処理装置３００から送信された処方データに含まれるユニットＮｏ．９０４のうち、右側の錠剤導入路６０１のユニットＮｏ．９０４が選択されていない場合（ステップＳ１０１１：ＮＯ）、右側錠剤導入路６０１用の静電気除電部７０１の電源をＯＦＦに（ステップＳ１０１２）する。
以上で図１０の説明を終了する。
【０１４６】
図１０に示すとおり、各錠剤導入路６０１に錠剤を落下させる錠剤取出しユニット１を使用していない場合に、ステップＳ１００５、ステップＳ１００８、ステップＳ１０１１において、当該錠剤導入路６０１用の静電気除電部７０１の電源をＯＦＦにすることにより、従来の除電効率を維持しつつ、静電気除電部７０１の汚れを防止し、さらに消費電力を従来と比べて抑えることが可能となる。
【０１４７】
また、同一の錠剤導入路６０１に接続する錠剤取出しユニット１のうち使用する錠剤取出しユニット１の数が４つ以上の場合に、錠剤供給装置１０に搭載されているすべての静電気除電部７０１の電源をＯＮにすることにより、接続する錠剤取出しユニット１が使用されていない錠剤導入路６０１に送風されるイオンを含んだ風は、錠剤導入路６０１内では錠剤の除電を行う必要がないため、より遠くまでイオンを運ぶことが可能となる。
【０１４８】
そうすると、使用する錠剤取出しユニット１が４つ以上接続した錠剤導入路６０１において、イオンを含んだ風が錠剤導入路６０１を通っていく間に、それぞれの錠剤取出しユニット１で取り出された錠剤に帯電した静電気とイオンが結びついて中和されたとしても、各集積ホッパーまでイオンが届かない可能性を低減することが可能となる。
【０１４９】
ここで、図１２の編集ボタン１２０３がユーザにより押下されることにより情報処理装置３００のディスプレイ３３４に表示される錠剤取出しユニット選択画面の他の実施形態について図１１を用いて説明する。
【０１５０】
図１１は、情報処理装置３００が表示する錠剤取出しユニット選択画面の例を示す図であり、図１１は、図１２の画面に示す処方データに含まれる錠剤が封入されたＰＴＰシートをセットする錠剤取出しユニットの選択をユーザから受け付ける図である。
【０１５１】
図１１は、図９の患者Ａの処方データ９０１に含まれる錠剤Ａと錠剤Ｂの錠剤シートをセットする錠剤取出しユニット１を選択し、これから錠剤Ｃの錠剤シートをセットする錠剤取出しユニット１を選択する状態の図である。
【０１５２】
図１１に示すとおり、錠剤Ａも錠剤Ｂも、ユニットＮｏ．９０４が左側の錠剤導入路６０１へ錠剤を落とす錠剤取出しユニット１（具体的には、ユニットＮｏ．が１、２）が設定されているため、錠剤Ｃの錠剤シートも左側の錠剤導入路６０１へ錠剤を落とす錠剤取出しユニット１を選択すれば、真ん中と右側の錠剤導入路６０１用の静電気除電部７０１の電源をＯＦＦにすることが可能となる。そのため、図１１では、１１０３に示すとおり左側の錠剤導入路６０１へ錠剤を落とす錠剤取出しユニット１（ユニットＮｏ．７、８、１３、１４）を識別表示させて、これらの錠剤取出しユニット１を選択するようにユーザに促している。
以上、本発明によると、除電するためのイオンを、効率的に、錠剤の供給経路に送ることができる。
【０１５３】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１５４】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１５５】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１５６】
その場合、プログラムの機能を有していれば、オブジェクトコード、インタプリタにより実行されるプログラム、ＯＳに供給するスクリプトデータ等の形態であってもよい。
【０１５７】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１５８】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１５９】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１６０】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１６１】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１６２】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１６３】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１６４】
１  錠剤取出ユニット
５  包装装置
１０  錠剤供給装置
１０１  タッチパネル式のディスプレイ
１０２  手撒き投入部
１０３  散薬投入部
【図１】
2017113066.tif 000003
【図２】
2017113066.tif 000004
【図３】
2017113066.tif 000005
【図４】
2017113066.tif 000006
【図５】
2017113066.tif 000007
【図６】
2017113066.tif 000008
【図７】
2017113066.tif 000009
【図８】
2017113066.tif 000010
【図９】
2017113066.tif 000011
【図１０】
2017113066.tif 000012
【図１１】
2017113066.tif 000013
【図１２】
2017113066.tif 000014
【図１３】
2017113066.tif 000015
【図１４】
2017113066.tif 000016